(57)【要約】      （修正有）【課題】パソコン操作用のマウスと同等の機能を有し、操作者を疲労低減を可とする操作制御装置を提供する。【解決手段】基台１上に内部収容空間を外部に連通させる鏤空溝１２１を設け、且つ操作制御モジュールは、収容空間内に一側の回転溝が鏤空溝に露出する載置台を設け、載置台側辺に回転溝に連通する通孔を設け、回路モジュールは、マイクロプロセッサにより載置台上の通孔に位置合わせされ、回転溝内の物体の回転を検出する検出モジュールに電気接続し、且つ検出モジュールは通孔の回転溝から離れる外側に固定設置され、回転溝の長さが回転溝より短いことにより、回転棒４を回転溝に載置させ、使用を行なう時、回転棒が取り出し清掃を行なうか、交換し重量を調整することができ、検出モジュールが載置台の側辺に設けられることにより、載置台下方の空間が平衡ロッドを収容し、それを上下移動させられればよく、基台の厚さを減少でき、薄化の利点を有する。【選択図】図６
0003159044.tif 000002
【実用新案登録請求の範囲】
【請求項１】
パソコンの接続ポートに接続でき、マウスポインタを制御し操作を行う操作制御装置であって、基台と、操作制御モジュールと、回路モジュールと、回転棒と、から構成され、
該基台内に収容空間を有し、基台上に収容空間を外部に連通させる鏤空溝を設け、
該操作制御モジュールは、収容空間から鏤空溝に進入する載置台を設け、且つ載置台の収容空間から離れる一側に回転溝を設け、載置台側辺に収容空間から回転溝に連通する通孔を設け、
該回路モジュールは、マイクロプロセッサにより載置台上の通孔に位置合わせされ、回転溝内の物体の回転を検出する検出モジュールを電気接続し、且つ検出モジュールは通孔の回転溝から離れる外側に固定設置され、
該回転棒は、載置台の回転溝内に設置され、且つ回転棒は、回転溝より短い長さを有することを特徴とする操作制御装置。
【請求項２】
前記基台は、複数のソケット体から構成されることを特徴とする請求項１記載の操作制御装置。
【請求項３】
前記基台は、収容空間の鏤空溝に相対する一側及び鏤空溝の二側にそれぞれ１つ以上の位置制限部を設け、且つ載置台の回転溝に相対する一側に位置制限部に相対して組み込み、載置台に上下変位をさせる１つ以上の位置制限ブロックを設けることを特徴とする請求項１記載の操作制御装置。
【請求項４】
前記操作制御モジュールは、固定側が基台の収容空間下方に軸回転接合され、活動側が鏤空溝に伸び、載置台下方の平衡ロッドを支持することを特徴とする請求項１記載の操作制御装置。
【請求項５】
前記基台は、収容空間下方に複数の定位部を設け、且つ収容空間下方は、複数の定位部の鏤空溝から離れる一側に軸回転接合部を設け、平衡ロッドは、載置台下方に支持される基部を設け、且つ基部の二側は、同一方向に湾曲し、複数の定位部を設置する支持アームを有し、支持アームの末端に同一方向に湾曲し、軸回転接合部に軸回転接合する軸部を有することを特徴とする請求項４記載の操作制御装置。
【請求項６】
前記載置台下方に平衡ロッドの基部を固定接続させる複数の定位構造を設けることを特徴とする請求項５記載の操作制御装置。
【請求項７】
前記基台の収容空間内に複数の操作制御部材を設け、且つ基台の鏤空溝の一側に複数の操作制御部材を外部に露出させる貫通溝を設け、回路モジュールは、マイクロプロセッサにより複数の操作制御部材を触発させる複数の制御スイッチを接続することを特徴とする請求項１記載の操作制御装置。
【請求項８】
前記基台の収容空間の貫通溝に相対する一側に操作制御部材を軸回転接合させることができる１つ以上の軸回転接合構造を設けることを特徴とする請求項７記載の操作制御装置。
【請求項９】
前記基台は、貫通溝の鏤空溝に相対する他側に使用者の手部を載置させる係止部を延伸することを特徴とする請求項７記載の操作制御装置。
【請求項１０】
前記係止部上に軟性又は弾性材質で形成される係止パッドを設置することを特徴とする請求項９記載の操作制御装置。
【請求項１１】
前記基台の貫通溝上に装飾板を設けることを特徴とする請求項７記載の操作制御装置。
【請求項１２】
前記基台は、収容空間の下方に回路モジュールが設ける検出モジュールを下に移動させることができる凹溝を凹設することを特徴とする請求項１記載の操作制御装置。
【請求項１３】
前記基台は、鏤空溝の相対する２つの外側に収容空間に連通する収容溝を設け、且つ収容空間内に軸柱を介して収容溝の他側に相対する複数の回転レバーを軸回転接合し、その複数の回転レバーの一側は、回転棒を係止させる収容溝内に進入し、回路モジュールは、マイクロプロセッサにより回転レバー他側を押圧させる複数の制御スイッチに接続することを特徴とする請求項１記載の操作制御装置。
【請求項１４】
前記操作制御モジュールの載置台は、回転溝の二側に回転棒の回転摩擦力を減少することができる複数の滑動補助部材を設け、且つ滑動補助部材は、不飽和ポリエステル樹脂（ＵＰＥ）、ＰＴＦＥ又はその他の可滑動材質から形成される片体であることができ、滑動補助部材は、ルビー（ＲＵＢＹ）、陶器又はその他の耐摩擦材質で形成される球体であることを特徴とする請求項１記載の操作制御装置。
【請求項１５】
前記操作制御モジュールの載置台は、回転溝に相対する他側に複数の弾性部材を設けることを特徴とする請求項１記載の操作制御装置。
【請求項１６】
前記載置台は、回転溝に相対する他側に１つ以上の押圧部を設け、且つ回路モジュールがマイクロプロセッサにより載置台を押下後に押圧部を押圧させる１つ以上の制御スイッチに接続することを特徴とする請求項１記載の操作制御装置。
【請求項１７】
前記回転棒は、実心状、内部に貫通溝を有する空心状を呈するか貫通溝内に錘を充填したものであることを特徴とする請求項１記載の操作制御装置。
【請求項１８】
前記回転棒は、内部に電磁心を設置させる貫通溝を設け、操作制御モジュールは、載置台の回転溝に相対する他側に導磁芯を吸引できる磁性部材を設けることを特徴とする請求項１記載の操作制御装置。
【請求項１９】
前記回転棒は、二側にそれぞれ摩擦力を減少する滑動キャップを被せ設け、且つ滑動キャップは、ＵＰＥ、ＰＴＦＥ又はその他の可滑動材質で形成されることを特徴とする請求項１記載の操作制御装置。
【請求項２０】
前記回転棒は、滑動キャップとの間に軸受けを設けることを特徴とする請求項１９記載の操作制御装置。
【請求項２１】
前記回路モジュールは、マイクロプロセッサによりパソコンの接続ポートと相互に電気接続する接続インタフェースに接続し、且つ接続インタフェースは、ＵＳＢ、ＰＳ２又はその他の接続インタフェースであることを特徴とする請求項１記載の操作制御装置。
【請求項２２】
前記載置台は、ポリオキシメチレン（ＰＯＭ）、フッ素樹脂（ＰＴＦＥ、又はテフロン（登録商標）と呼ばれる）又はその他の自己ルブリケータ材質で形成されることを特徴とする請求項１記載の操作制御装置。
【請求項２３】
前記載置台は、鏤空溝近隣の側辺に通孔を設けることを特徴とする請求項１記載の操作制御装置。
【考案の詳細な説明】
【技術分野】
【０００１】
本考案は、操作制御装置に関し、特に、基台の鏤空溝に載置台を設け、且つ載置台の一側に鏤空溝に露出する回転溝を設け、回転溝に比較的短い長さの回転棒を載置し、回転棒が自由に持ち出し、載置を行なえるようにし、回転棒に対して清掃を行なうか、回転棒を交換し重量を調整することができる操作制御装置に関する。
【背景技術】
【０００２】
科学技術の飛躍的な進歩及び電子産業の発展に伴い、様々な電子装置が我々の生活に入ってきており、且つ生活において不可欠な部分となっており（例えば、パソコン、携帯電話、デジタルカメラ等）、そのうちのパソコンは、仕事において必ず使用される道具となっており、更に、インターネットの普及により生活中に多くのことは（例えば、データ検索、音楽鑑賞、映画鑑賞、新聞の閲覧、ゲーム娯楽）、何れもパソコン又はインターネットにより達成され、インターネットを介して友人とチャット、メッセージの転送、メール送受信を行なうこともでき、ショッピング、予約、費用の振込み等の行為を行なうこともできる。
【０００３】
パソコンは、多くの機能を有し、使用者の生活をより便利にし、それにより、大部分の人は、毎日パソコンに触れるが、現在の使用者の多くは、キーボード、マウスを利用し、パソコンを操作し、動作を行ない、マウスポインタ、選択キーの押下、タイピング等の動作を行ない、使用者は、仕事、学習、余暇、娯楽の時間にパソコンを利用することができるので、多くの人が長時間マウスを使用することになるが、マウスを操作する時、手部の姿勢が多くは、手腕が机の上に寄りかかり、手のひらの手指を介してマウスを移動させるが、マウスを制御し、大きな範囲を移動させる時、手腕を上げ、肘の動きでマウスを移動させる必要があり、長時間且つ頻繁にマウスを使用した後、マウス手（手根管症候群）の病状を得る。
【０００４】
従って、業者は、この問題に対して手腕のパッドを作っているが、操作上、手腕を起こしマウスを大きな範囲移動させる可能性があるので、手腕がパッドを離れ、且つ個人の使用の習慣においてマウスを起こし載置する位置を変える動作を行なう可能性もあるので、パッドの実用性は、低下するので、マウスを如何に改良し、使用者の実際の操作時に手腕を確実に載置でき、変位せず、片手又は両手を利用し、マウスと同等の操作を行なうことができるようにするかは、各業者の研究開発の目標となっている。
【０００５】
従って、マウスの使用上の問題及び欠陥を如何に解決するかは、当業者の関連メーカーが研究改善の方向を欲するところである。
【考案の概要】
【考案が解決しようとする課題】
【０００６】
考案者は、上記の問題及び欠陥に鑑み、関連資料を集め、多方面の評価及び考慮を経て、試作、修正を重ね、回転棒を取り出し清掃を行なうことができ、又は交換し重量を調整できる操作制御装置を考案するものである。
【０００７】
本考案の目的は、載置台の一側に回転棒を置くことができる回転溝を設け、且つ回転棒の長さが回転溝より短く、操作制御装置の使用後、回転棒上が汚れ検出モジュールの検出が精確でなくなった場合、回転棒を取り出し汚れに対して清掃を行なうことができ、異なる使用者が異なる使用習慣を有するので、回転棒を取り出し交換し重量を調整することができ、回転棒が個人の使用習慣に適合できるようにし、回転棒の検出精度、適用性を向上する効果を達成するようにすることである。
【０００８】
本考案のもう１つの目的は、回路モジュールの検出モジュールは、載置台の外側に設けられ、且つ検出モジュールが載置台の通孔に位置合わせされ、回転溝内の回転棒に対し回転距離の検出を行い、検出モジュールは、載置台の側辺に設けられることにより、載置台下方に上下移動を提供し、平衡ロッドを収容する厚さのみを残すだけでよく、且つ灰塵が側面方向の通孔から検出モジュール上に堆積又はカバーし難くし、本考案の厚さを薄くすることができ、検出モジュールが検出する時の精度を向上することができるようにすることである。
【０００９】
本考案のもう１つの目的は、基台が軸回転接合部を利用し、平衡ロッドの一側の２つの軸部を軸回転可能に接続し、平衡ロッドの他側の基部は、載置台下方に複数の定位構造を設け、載置台が上下変位する時、平衡ロッドに施力できるようにし、回転棒が力を受ける箇所が中央位置に偏る可能性があるので、平衡ロッドを介して斜めに傾いた施力を平均的な変位に変換し、回転棒及びその押圧した載置台に平穏な上下変位を可能にし、長さにより軟化湾曲し易い載置台に平衡ロッドの支持を受けさせ、平行を保持させ、回転棒又は載置台に円滑な回転、変位を行なわせることができるようにすることである。
【００１０】
本考案のもう１つの目的は、載置台がポリオキシメチレン（ＰＯＭ）、フッ素樹脂（ＰＴＦＥ、又はテフロン（登録商標）と呼ばれる）又はその他の自己ルブリケータ材質を利用して製成するか、二側に摩擦力を減少する複数の潤滑補助部材を設けることができ、回転棒に回転溝内で回転又は滑動移動を行なわせる時、両者の接触位置に小さな摩擦力を発生させることができ、回転棒は、実心状、内部に貫通溝を有する空心状、又は貫通溝内に錘を充填したものであることができ、可通溝内に導磁芯を設けることもでき、載置台は、回転溝の他側に磁性部材を設け、磁力を介して回転棒内部の導磁芯を吸引し、異なる使用者の習慣により施力の大きさが異なり、回転棒が大きな施力を受ける場合、回転溝から離脱し、脱落する問題が生じるが、回転棒の重量又は磁力吸引の変化を介して、回転棒を回転溝内に安定して停留させ、使用時の円滑性、適用性、安定性の向上を達成することである。
【課題を解決するための手段】
【００１１】
本考案の操作制御装置は、パソコンの接続ポートに接続でき、マウスポインタを制御し操作を行う操作制御装置であって、基台と、操作制御モジュールと、回路モジュールと、回転棒と、から構成され、該基台内に収容空間を有し、基台上に収容空間を外部に連通させる鏤空溝を設け、該操作制御モジュールは、収容空間から鏤空溝に進入する載置台を設け、且つ載置台の収容空間から離れる一側に回転溝を設け、載置台側辺に収容空間から回転溝に連通する通孔を設け、該回路モジュールは、マイクロプロセッサにより載置台上の通孔に位置合わせされ、回転溝内の物体の回転を検出する検出モジュールを電気接続し、且つ検出モジュールは通孔の回転溝から離れる外側に固定設置され、該回転棒は、載置台の回転内に設置され、且つ回転棒は、回転溝より短い長さを有する。
【考案の効果】
【００１２】
上記の本考案の操作制御装置は、実際の使用時、以下の利点を有する：
（一）該載置台２１の一側は、回転溝２１１を設け、且つ回転棒４は、回転溝２１１より短い長さを有し、回転棒４は、回転溝２１１に載置され使用を行なう時、回転棒４が汚れた場合、取り出して清掃を行なうことができ、回転棒４が重量を調整する必要がある時、回転棒４を取り出し交換を行なうことができる。
（二）該載置台２１側辺に収容空間１０から回転溝２１１に連通する通孔２１２を設け、回路モジュール３の検出モジュール３２は、載置台２１外側に設けられ、検出モジュール３２を通孔２１２に位置合わせし、回転溝２１１内の回転棒４の回転距離を検出し、検出モジュール３２は、載置台２１側辺に設けられ、載置台２１下方には、それを上下に変位させ、平衡ロッド２２を収容する厚さのみを残せばよく、本考案の厚さを薄くし、検出モジュール３２の検出時に良好な精度を持たせることができる。
（三）該載置台２１は、下方の複数の定位構造２１６を利用し、平衡ロッド２２を軸回転接合し、且つ平衡ロッド２２他側の二軸部２２３は、基台１の軸回転接合部１１３に軸回転接合し、平衡ロッド２２を介して使用者の施力を平均的変位に変換し、即ち、載置台２１に平穏な上下変位を行なわせるか、長さを増長させ、軟化湾曲し易い載置台２１に平行を保持させることができ、回転棒４及び載置台２１に円滑な回転又は変位を行わせることができる。
（四）該載置台２１の長さは、回転棒４より長く、基台１の長さも回転棒４より長くなり、使用者の手部を置き操作を行う空間が伴って増大し、使用者は、個人の習慣に基づき手部の位置を調整することができ、使用時の利便性を向上することができる。
（五）該載置台２１は、ＰＯＭ、ＰＴＦＥ又はその他の自己ルブリケータ材質を利用し、形成することができ、又は、回転溝２１１の二側に摩擦力を減少する複数の滑動補助部材２１１１を設け、回転棒４を回転又は滑動移動させる時、比較的小さな摩擦力を発生させ、使用円滑度を向上することができる。
（六）該回転棒４は、実心状、内部に貫通溝４１を備える空心状を呈するか、貫通溝４１内に錘を充填し、貫通溝４１内に導磁芯４１１を設け、操作制御モジュール２は、載置台２１の回転溝２１１に相対する他側に導磁芯４１１を吸引できる磁性部材２１７を設け、回転棒４が大き過ぎる施力を受ける場合、回転溝２１１を離脱し、且つ使用者の習慣により施力の大きさが異なるので、回転棒４の重量を変化させるか磁力の吸引を利用し、回転棒４の使用時の安定度を向上させることができる。
【図面の簡単な説明】
【００１３】
【図１】本考案の好適実施例の立体外観図である。
【図２】本考案の好適実施例の立体分解図である。
【図３】本考案の好適実施例のもう１つの立体外観図である。
【図４】本考案の好適実施例の側面断面図である。
【図５】本考案の好適実施例のブロック図である。
【図６】本考案の回転棒を側方移動させた時の俯瞰図である。
【図７】本考案の回転棒を回転させた時の側面断面図である。
【図８】本考案の回転棒を押下した時の側面断面図である。
【図９】本考案の他の実施例の載置台及び回転棒の立体分解図である。
【考案を実施するための形態】
【００１４】
上記の目的及び効果を達成する為に本考案が採用する技術手段及びその構造を分かり易くする為、図面に併せて本考案の実施例を挙げ、その特徴及び機能を以下に詳細に説明する。
【００１５】
図１，図２，図３,図４，図５は、本考案の好適実施例の立体外観図、立体分解図、他の立体外観図、側面断面図、ブロック図であり、図から分かるように、該操作制御装置は、基台１と、操作制御モジュール２と、回路モジュール３と、回転棒４と、から構成される。
【００１６】
そのうち、該基台１は、第１ソケット体１１と、第２ソケット体１２から構成されることができ、且つ第１ソケット体１１と第２ソケット体１２との間に収容空間１０を形成し、第１ソケット体１１は、収容空間１０の一側に１つ以上の位置制限部１１１を設け、且つ第１ソケット体１１は、位置制限部１１１の一側の相対する外側に順に複数の定位部１１２と、軸回転接合部１１３と、を設け、その複数の定位部１１２と、軸回転接合部１１３の間に１つ以上の軸回転接合構造１１４を設け、１つ以上の位置制限部１１１と軸回転接合構造１１４の間に凹溝１１５を設け、第２ソケット体１２は、位置制限部１１１に合わせて収容空間１０を外部の鏤空溝１２１に連通させ、その鏤空溝１２１の相対する２つの外側に収容空間１０に連通する収容溝１２２を凹設し、且つ鏤空溝１２１の二側にそれぞれ１つ以上の位置制限部１２３を設け、鏤空溝１２１の一側に１つ以上の軸回転接合部１１４に位置合わせされた貫通溝１２４を設け、第２ソケット体１２は、更に、貫通溝１２４の鏤空溝１２１に相対する他側に使用者の手部を載置させる係止部１２５を延伸し、且つ係止部１２５上に軟性又は弾性材質で形成される係止パッド１３を設置し、貫通溝１２４上に装飾板１４を設ける。
【００１７】
該操作制御モジュール２は、収容空間１０から鏤空溝１２１内に進入する載置台２１を設け、且つ載置台２１の収容空間１０から離れた一側に回転溝２１１を設け、載置台２１の鏤空溝１２１に近い側辺に収容空間１０から回転溝２１１に連通する通孔２１２を設け、且つ載置台２１の回転溝２１１に相対する一側に１つ以上の位置制限部１１１に相対して組み込まれ載置台２１に上下変位させる位置制限ブロック２１３と、複数の弾性部材２１４と、押圧部２１５と、複数の定位構造２１６と、を設け、更に、載置台２１下方に平衡ロッド２２を設け、平衡ロッド２２に載置台２１下方の複数の定位構造２１６に軸回転可能に接続する基部２２１を設け、且つ基部２２１の二側が複数の定位部１１２を設置する支持アーム２２２を同一方向に湾曲して有し、支持アーム２２２末端に軸回転接合部１１３に軸回転接合する軸部２２３を同一方向に湾曲して有し、更に第１ソケット体１１に組み込み且つ収容溝１２２に相対する複数の回転レバー２３を設け、且つ回転レバー２３は、第１ソケット体１１に軸回転接合する軸柱２３１を設け、軸柱２３１の一側の回転レバー２３を鏤空溝１２１二側の収容溝１２２に進入させ、収容空間１０に組み込むことができ、１つ以上の貫通溝１２４を介して外部に露出する複数の操作制御部材２４を設ける。
【００１８】
該回路モジュール３は、マイクロプロセッサ３１により載置台２１上の通孔２１２に位置合わせされ、回転溝２１１内の物体の回転を検出する検出モジュール３２を電気接続し、且つ検出モジュール３２は、通孔２１２の回転溝２１１から離れる外側に固定設置され、マイクロプロセッサ３１により載置台２１の押圧部２１５に押圧させ、回転レバー２３を押圧させ、複数の操作制御部材２４を触発する複数の制御スイッチ３３を接続し、マイクロプロセッサ３１は、パソコン５の接続ポート５１と相互に電気接続する接続インタフェース３４を電気接続し、且つ接続インタフェース３４は、ＵＳＢ、ＰＳ２又はその他の形式の接続インタフェースであることができる。
【００１９】
該回転棒４は、載置台２１の回転溝２１１内に設置され、且つ回転棒４は、回転溝２１１より短い長さを有する。
【００２０】
上記の基台１は、単一ソケット体又は２つ以上のソケット体から構成されることができ、それが備える内部収容空間１０は、操作制御モジュール２と、回路モジュール３と、を載置することができ、鏤空溝１２１を有し、載置台２１を載置させ、回転棒４を載置させる機能をするだけでよく、本考案の権利範囲を制限するものではなく、その他の修飾及び同一効果の構造の変化を利用しても何れも本考案の権利範囲内に含むものである。
【００２１】
図２，図３，図６，図７は、本考案の実施例の立体分解図、他の立体外観図、回転棒を側面方向移動させた時の俯瞰図、回転棒を回転させた時の側面断面図であり、図から分かるように、本考案の使用時、使用者は、手腕を係止パッド１３上に載置し、手指で複数の操作制御部材２４と、回転棒４と、を操作制御し、該回転棒４は、使用者に前後方向の回転を行わせることができ、この時、回路モジュール３の検出モジュール３２は、載置台２１の一側の通孔２１２を介して回転棒４の回転距離を検出し、パソコン５のスクリーン上のマウスポインタを上下変位させるよう操作制御し、回転棒４の長さは、載置台２１の回転溝２１１より短く、使用者は、回転棒４を左右に滑動移動させることができ、回転棒４が回転溝２１１の二側に変位する時、収容溝１２２を貫通し、回転レバー２３の一側を押圧することができ、回転レバー２３の他側は、信号を発し、パソコン５のスクリーン上のマウスポインタを左右移動させるように操作制御することができる。
【００２２】
図２，図３，図８は、本考案の好適実施例の立体分解図、他の立体外観図、回転棒を押下時の側面断面図であり、図から分かるように、本考案の使用時、回転棒４を押下することができ、回転棒４は、載置台２１を押圧し、それに位置制限ブロック２１３を利用させ、且つ位置制限部１１１及び位置制限部１２３を介して下に移動させ、載置台２１下方の１つ以上の弾性部材２１４を圧縮し、載置台２１の一側の押圧部２１５は、回路モジュール３の制御スイッチ３３を押圧し、マウスポインタにクリックの効果を発生させ、検出モジュール３２は、載置台２１の一側に設けられるので、載置台２１が下に移動する時、回転棒４に対して検出を行うことができ、回転棒４を押下する時、それに対して左右移動を行うことができ、マウスポインタがクリック、ドラッグ、フレーム選択等の操作を行うよう操作制御することができ、回転棒４の押下を停止する時、１つ以上の弾性部材２１４は、弾性復位し、載置台２１を押し、それを上に移動させ、載置台２１は、位置制限ブロック２１３及び位置制限部１１１、位置制限部１２３を利用し、相対して位置制限し、元の位置に回復させることができる。
【００２３】
検出モジュール３２は、載置台２１側辺に設けられ、載置台２１下方に設けられるのではなく、且つ検出モジュール３２は、載置台２３１が下向移動する時に伴って、基台１の凹溝１１５に進入することができ、従って、載置台２１下方の収容空間１０は、位置制限ブロック２１３と、弾性部材２１４と、定位構造２１６と、平衡ロッド２２と、だけを設ける必要があり、その高度は、載置台２１を上下変位させられるだけが必要であり、基台１の厚さを薄くすることができ、載置台２１の通孔２１２は、側辺に位置し、下方に配置されないので、灰塵が通孔２１２内に入り難くすることができ、回路モジュール３の検出モジュール３２は、灰塵を堆積又は詰まらせることがなく、灰塵が検出に干渉することを回避し、検出モジュール３２に良好な検出精度を保持させることができる。
【００２４】
上記から分かるように、回転棒４は、載置台２１の回転溝２１１内で左右移動をさせることができるので、使用者の手部が回転棒４を押下する時、施力位置は、中央位置に偏る可能性があり、回転棒４及び載置台２１は、変形又は跳ね上がりの状況が発生するが、載置台２１は、下方の複数の定位構造２１６が軸回転接合する平衡ロッド２２を利用し、平衡ロッド２２の他側の２つの軸部２２３は、基台１の軸回転接合部１１３に軸回転接合し、載置台２１が下に移動する時、平衡ロッド２２を介して施力を平均的な変位に変換することができ、即ち、載置台２１に平穏な上下変位をさせることができ、載置台２１が非硬質の材質（例えば、プラスチック、ゴム等）を利用して製造される時、載置台２１の長さが長いことにより軟化湾曲の問題が発生するが、この時も、平衡ロッド２２の載置台２１下方への支持を利用し、載置台２１を平行に保持し、回転棒４を円滑に回転、変位させることができる。
【００２５】
図１，図２，図３は、本考案の好適実施例の立体外観図、立体分解図、他の立体外観図であり、図から分かるように、該載置台２１の回転溝２１１は、基台１の鏤空溝１２１内に露出し、且つ回転棒４の長さは、回転溝２１１より短く、回転棒４は、回転溝２１１内から持ち上げることができ、人の手部が接触する物品であるので、灰塵、油又はその他の雑質で汚れ、人が回転棒４を操作する時、上記雑質は、回転棒４上に付着し、本考案の回転棒４は、使用者に取り出し清掃を行なわせることができ、回転棒４の回転移動時の円滑度を保持することができるだけでなく、手部に良好な触感を持たせ、更に、異なる使用者の習慣が施加する力量が差異を有するので、本考案は、使用者に自分の好み又は習慣に合わせて異なる重量の回転棒４を交換させ、適用性を向上する目的を達成することができる。
【００２６】
図２，図３，図９は、本考案の実施例の立体分解図、他の立体外観図、他の実施例載置台及び回転棒の立体分解図であり、図から分かるように、該操作制御モジュール２の載置台２１は、直接、回転溝２１１により回転棒４を載置させ回転又は変位させることができ、回転棒４及び回転溝２１１は、摩擦を発生し、回転又は変位が円滑でなくなる欠陥を生じるので、ポリオキシメチレン（ＰＯＭ）、フッ素樹脂（ＰＴＦＥ、又はテフロン（登録商標）と呼ばれる）又はその他の自己ルブリケータ材質で形成された載置台２１を利用することができ、回転溝２１１も二側に回転棒４の回転摩擦力を減少することができる複数の滑動補助部材２１１１を設けることができ、その滑動補助部材２１１１は、不飽和ポリエステル樹脂（ＵＰＥ）、ＰＴＦＥ又はその他の可滑動材質から形成される片体であることができ、ＲＵＢＹ、陶器またはその他の耐摩擦材質から形成される球体であることもでき、上記方式を介して回転棒４及び回転溝２１１の間に発生する摩擦力を低減し、回転棒４の使用時の円滑度を向上する。
【００２７】
更に、回転棒４は、実心状、内部貫通溝４１を備える空心状又は貫通溝４１内に錘を充填してなることができ、体積の変化を介して回転棒４の重量を変化させ使用者の需要に適合させ、貫通溝４１内に導磁芯４１１を設けることができ、操作制御モジュール２は、載置台２１の回転溝２１１に相対する他側に導磁芯４１１を吸引できる磁性部材２１７を設け、回転棒４が受ける力が大きすぎる場合、回転溝２１１から離脱し、磁性部材２１７を介して回転棒４内部の導磁芯４１１を吸引し、安定度を向上し、無意識の間に大きすぎる力を施加し、回転棒４が脱落する問題が発生することを回避することができる。
【００２８】
更に、回転棒４は、二側にそれぞれ摩擦力を減少する滑動キャップ４２を被せ設け、その滑動キャップ４２は、ＵＰＥ、ＰＴＦＥ又はその他の可滑動材質で形成されることができ、また、回転棒４及び滑動キャップ４２の間は、軸受け４２１を設けることができ、滑動キャップ４２を介して回転棒４を載置台２１の回転溝２１１に直接接触しないようにし、摩擦面積を減少し、摩擦力を低減し、可滑動材質が形成する滑動キャップ４２を利用し、滑動キャップ４２により円滑な回転溝２１１内での滑動又は変位をさせることができ、軸受け４２１は、内外環を回転させることができ、軸受け４２１を介して滑動キャップ４２が回転溝２１１内で円滑に回転できなくなる時も、回転棒４は、軸受け４２１を利用して円滑に回転でき、回転棒４の回転又は変位の円滑性を向上する目的を達成する。
【００２９】
図２，図３，図９は、本考案の好適実施例の立体分解図、他の立体分解図、他の実施例の載置台及び回転棒の立体分解図であり、図から分かるように、該操作制御モジュール２は、複数の操作制御部材２４を設けることができ、且つ複数の操作部材２４は、貫通溝１２４を介して、基台１上方の外部に露出し、上記の複数の操作制御部材２４は、プッシュキー、回転ホイール、トラックボール又はその他の手部に押圧させ操作を行なわせる部材であることができ、それは、使用者に押圧、回転させた後に、回路モジュール３の制御スイッチ３３を触発し、マウスポインタの機能を操作し、本考案の権利範囲は、これに制限するものではなく、その他の修飾及び同等の効果構造の変化を利用するものは、何れも同様に本考案の権利範囲内に含むものである。
【００３０】
上記の本考案の操作制御装置は、実際の使用時、以下の利点を有する：
（一）該載置台２１の一側は、回転溝２１１を設け、且つ回転棒４は、回転溝２１１より短い長さを有し、回転棒４は、回転溝２１１に載置され使用を行なう時、回転棒４が汚れた場合、取り出して清掃を行なうことができ、回転棒４が重量を調整する必要がある時、回転棒４を取り出し交換を行なうことができる。
（二）該載置台２１側辺に収容空間１０から回転溝２１１に連通する通孔２１２を設け、回路モジュール３の検出モジュール３２は、載置台２１外側に設けられ、検出モジュール３２を通孔２１２に位置合わせし、回転溝２１１内の回転棒４の回転距離を検出し、検出モジュール３２は、載置台２１側辺に設けられ、載置台２１下方には、それを上下に変位させ、平衡ロッド２２を収容する厚さのみを残せばよく、本考案の厚さを薄くし、検出モジュール３２の検出時に良好な精度を持たせることができる。
（三）該載置台２１は、下方の複数の定位構造２１６を利用し、平衡ロッド２２を軸回転接合し、且つ平衡ロッド２２他側の二軸部２２３は、基台１の軸回転接合部１１３に軸回転接合し、平衡ロッド２２を介して使用者の施力を平均的変位に変換し、即ち、載置台２１に平穏な上下変位を行なわせるか、長さを増長させ、軟化湾曲し易い載置台２１に平行を保持させることができ、回転棒４及び載置台２１に円滑な回転又は変位を行わせることができる。
（四）該載置台２１の長さは、回転棒４より長く、基台１の長さも回転棒４より長くなり、使用者の手部を置き、操作を行なう空間が増大し、使用者は、個人の習慣に基づき手部の位置を調整することができ、使用時の利便性を向上することができる。
（五）該載置台２１は、ＰＯＭ、ＰＴＦＥ又はその他の自己ルブリケータ材質を利用し、形成することができ、又は、回転溝２１１の二側に摩擦力を減少する複数の滑動補助部材２１１１を設け、回転棒４を回転又は滑動移動させる時、比較的小さな摩擦力を発生させ、使用円滑度を向上することができる。
（六）該回転棒４は、実心状、内部に貫通溝４１を備える空心状を呈するか、貫通溝４１内に錘を充填し、貫通溝４１内に導磁芯４１１を設け、操作制御モジュール２は、載置台２１の回転溝２１１に相対する他側に導磁芯４１１を吸引できる磁性部材２１７を設け、回転棒４が大き過ぎる施力を受ける場合、回転溝２１１を離脱し、且つ使用者の習慣により施力の大きさが異なるので、回転棒４の重量を変化させるか磁力の吸引を利用し、回転棒４の使用時の安定度を向上させることができる。
【００３１】
本考案は、操作制御装置に対するものであり、基台１は、内部収容空間１０を外部に連通させる鏤空溝１２１を設け、且つ操作制御モジュール２は、収容空間１０から鏤空溝１２１に進入する載置台２１を設け、載置台２１は、一側に比較的短い長さの回転棒４を載置させる回転溝２１１を設け、載置台２１側辺は、収容空間から回転溝２１１に連通する通孔２１２を設け、回路モジュール３の検出モジュール３２が通孔２１２に位置合わせされ設けられることにより検出棒４に回転の検出を行い、回転棒４を自由に取り出し清掃を行なうことができるように、又は交換し、重量を調整させることを保護の要点とするが、上記は、本考案の好適実施例であるだけであり、本考案の権利範囲を制限するものではなく、本考案の明細書及び図面の内容に簡易な修飾及び同等な効果の構造の変化させたものは、何れも本考案の権利範囲内に含むべきものである。
【符号の説明】
【００３２】
１      基台
１０    収容空間
１１    第１ソケット体
１１１  位置制限部
１１２  定位部
１１３  軸回転接合部
１１４  軸回転接合構造
１１５  凹溝
１２    第２ソケット体
１２１  鏤空溝
１２２  収容溝
１２３  位置制限部
１２４  貫通溝
１２５  係止部
１３    係止パッド
１４    装飾板
２      操作制御モジュール
２１    載置台
２１１  回転溝
２１１１  滑動補助部材
２１２  通孔
２１３  位置制限ブロック
２１４  弾性部材
２１５  押圧部
２１６  定位構造
２１７  磁性部材
２２    平衡ロッド
２２１  基部
２２２  支持アーム
２２３  軸部
２３    回転レバー
２３１  軸柱
２４    操作制御部材
３      回路モジュール
３１    マイクロプロセッサ
３２    検出モジュール
３３    制御スイッチ
３４    接続インタフェース
４      回転棒
４１    貫通溝
４１１  導磁芯
４２    回転キャップ
４２１  軸受け
５      パソコン
５１    接続ポート
【図１】
0003159044.tif 000003
【図２】
0003159044.tif 000004
【図３】
0003159044.tif 000005
【図４】
0003159044.tif 000006
【図５】
0003159044.tif 000007
【図６】
0003159044.tif 000008
【図７】
0003159044.tif 000009
【図８】
0003159044.tif 000010
【図９】
0003159044.tif 000011